(57)【要約】    【課題】  可動接点の大型化を避けながら縦横比を大きくしたキートップで、端部を操作しても可動接点を固定接点に接触させ得るスイッチ構造を提供する。    【解決手段】  図３（Ａ）に示すキートップ５８の中央部が押されると、ラバースイッチ５６の矩形部５６ｆが下がり、突出部５６ｃ下端の可動接点５４が固定接点５２に接触する。また、図３（Ｂ）に示すようにキートップ５８の長手方向に沿った端部（短手端部）が押された際にも、キートップ５８の底面５８ｃに、中央部が可動接点側に突出する曲面形状が形成されているため、可動接点５４が、固定接点５２に対して曲面形状で下側に膨らんでいる分だけ大きく移動し、固定接点５２へ接触することができる。【選択図】  図３
2008166205.tif 000002
【特許請求の範囲】
【請求項１】
上面、側壁、底面を有するキートップを備えるスイッチ構造であって、
前記キートップを押下可能なように該キートップの側壁を支持するハウジングと、
基板上に前記キートップ側に対向するよう設けられた固定接点と、
前記固定接点に接触可能な可動接点と、
前記可動接点を下端に有する突出部を有し、前記キートップの押下により、前記キートップの底面が上面に当接することで変位して、前記可動接点を前記固定接点に接触させる弾性部材と、を備え、
前記キートップの底面の中央部が前記可動接点側に突出する曲面形状であることを特徴とするスイッチ構造。
【請求項２】
前記キートップの上面の縦横比が１以外であって、
前記キートップの底面に、該キートップの長手方向に沿って中央部が前記可動接点側に突出する凸曲面形状が形成されていることを特徴とする請求項１のスイッチ構造。
【請求項３】
前記キートップの底面にハウジングの裏面側と当接するフランジ部を備え、
前記キートップの中心から該フランジ部の端部までの距離をＬ：
固定接点の設けられる前記基板上に載置される前記弾性部材の基部の厚みをａ：
前記可動接点の半径をｄ：
前記キートップを押し下げる前と、前記キートップの一方の端部を下端まで押し下げた際との角度であって、押し下げられた反対側の前記フランジ部の端部で前記ハウジングの裏面側との当接部と、前記弾性部材の一方の端部側の前記可動接点の端部とがなす角度をθ：
前記凸曲面形状のキートップ底面の両端部からの突出量ｈ：
が次式で表されることを特徴とする請求項２のスイッチ構造。
【数１】
2008166205.tif 000004
【請求項４】
前記弾性部材の突出部が弾性を有することを特徴とする請求項１又は請求項２のスイッチ構造。
【請求項５】
スイッチ構造が操作者に長手側の把持される長方形形状の装置に設けられ、前記キートップが長方形形状であって、前記装置の長手方向に前記キートップの長手方向が平行になるように配置されることを特徴とする請求項２又は請求項３のスイッチ構造。
【請求項６】
前記キートップを押下可能なように支持するハウジングに、対向するハウジングを備え、
前記対向するハウジングが、前記基板の前記固定接点の下方を支持するリブを備えることを特徴とする請求項１〜請求項５のいずれか１のスイッチ構造。
【請求項７】
前記キートップを押下可能なように支持するハウジングに、対向するハウジングを備え、
前記対向するハウジングが、前記基板の前記固定接点の下方の周囲を支持するリブを備えることを特徴とする請求項１〜請求項５のいずれか１のスイッチ構造。
【請求項８】
前記基板は、前記ハウジングに対して傾斜して配置され、
前記キートップの上面は該ハウジングに対して平行に設けられると共に、キートップの底面は、該底面の短手方向の両端部を結ぶ面が該基板に対して平行に設けられ、
前記キートップの底面の凸曲面形状は、中央部が前記可動接点側に突出するように形成されていることを特徴とする請求項２のスイッチ構造。
【発明の詳細な説明】
【技術分野】
【０００１】
本発明は、可動接点を固定接点に接触させるスイッチ構造に関し、特に、縦横比が１以外の例えば、長方形、楕円系のキートップを備えるスイッチ構造に好適に用い得るスイッチ構造に関するものである。
【背景技術】
【０００２】
可動接点を固定接点に接触させるスイッチ構造としては、固定接点から離間させて可動接点を弾性部材からなる支持部材にて支持させ、該支持部材上にキートップを配置し、キートップを押圧させることにより支持部材を変形させ、可動接点を固定接点に接触させる機構が広く用いられている。特許文献１には、支持部材のベースから等間隔であって、キートップの周辺下端面と対峙する位置にリブを配設し、キートップが押し下げられたときに、該キートップの周囲下端面がリブに当接することで、キートップの下降が停止され、キートップのストロークを一定にするとともに、キートップの端部位置が押されても可動接点が破損しないようにしたラバー接点が開示されている。
【特許文献１】実開平５−６５９３号公報
【発明の開示】
【発明が解決しようとする課題】
【０００３】
バーコード、ＱＲコード（登録商標）等を読み取る光学情報読取装置としては、本体に握りが設けられたガンタイプと、握りが無く本体を把持して操作する長方形形状のタイプとが用いられている。該長方形形状のタイプでは、読み取りを開始させるトリガースイッチを、長方形形状の装置を把持しながら、把持した手の指で操作するため、ガンタイプに比べて操作が困難である。操作を容易にするため、トリガースイッチを大型化させることが望ましいが、トリガースイッチを大型化させると、スイッチ構造の可動接点を大型化が必要となる。可動接点を大型化しないと、小型のトリガースイッチと同様な動作、即ち、トリガースイッチの端部を操作しても確実に可動接点を固定接点に接触させることができない。しかしながら、固定接点は、一般的に実装基板上に設けられるため、固定接点の大型化は、占有する実装面積が大きくなるため、避けることが望ましい。
【０００４】
ここで、キートップを大型化しながら、可動接点、固定接点を大型化しない場合、或いは、キートップを縦横比を大きくすると、キートップの端部を押した場合に可動接点の移動ストロークを大きくできず、当該可動接点をを固定接点に接触させることができなくなる。一方、キートップの端部を押した場合にも可動接点を固定接点に接触させることができないように、可動接点の移動ストロークを大きくすると、キートップの中央部が押された際に、可動接点と固定接点とに加わる圧力が過大となって、故障の原因となり得る。係る相反する課題に対して、特許文献１では対応が困難であった。
【０００５】
本発明は、上述した課題を解決するためになされたものであり、その目的とするところは、可動接点の大型化を避けながら大型化を図ったキートップで、端部を操作しても可動接点を固定接点に接触させ得るスイッチ構造を提供することにある。
【０００６】
また、本発明は、可動接点の大型化を避けながら縦横比を大きくしたキートップで、端部を操作しても可動接点を固定接点に接触させ得るスイッチ構造を提供することを目的とする。
【課題を解決するための手段】
【０００７】
上記目的を達成するため、請求項１の発明は、
上面５８ａ、側壁５８ｂ、底面５８ｃを有するキートップ５８を備えるスイッチ構造５０であって、
前記キートップ５８を押下可能なように該キートップ５８の側壁５８ｂを支持するハウジング１２Ｂと、
基板１６上に前記キートップ５８側に対向するよう設けられた固定接点５４と、
前記固定接点５２に接触可能な可動接点５４と、
前記可動接点５４を下端に支持する突出部５６ｃを有し、前記キートップ５８の押下により、前記キートップ５８の底面５８ｃが上面に当接することで変位して、前記可動接点５４を前記固定接点５２に接触させる弾性部材５６と、を備え、
前記キートップ５８の底面５８ｃの中央部が前記可動接点５４側に突出する曲面形状であることを技術的特徴とする。
【発明の効果】
【０００８】
請求項１では、キートップの底面に、中央部が可動接点側に突出する曲面形状が形成されているため、キートップの端部が押された際にも、端部は中央部よりも大きく移動でき、可動接点を固定接点に接触させることができる。更に、弾性部材の弾性により、キートップから加わる力を吸収し、可動接点及び固定接点の故障を防ぐことができる。
【０００９】
請求項２では、キートップの底面に、中央部が可動接点側に突出する凸曲面形状が形成されているため、キートップの長手方向に沿った端部（短手端部）が押された際にも、端部は中央部よりも大きく移動でき、可動接点を固定接点に接触させることができる。更に、弾性部材の弾性により、キートップから加わる力を吸収し、可動接点及び固定接点の故障を防ぐことができる。
【００１０】
請求項３では、数１で表される寸法にキートップ及び弾性部材が形成されているので、キートップの端部が押された際にも、確実に可動接点が固定接点に接触することができる。
【００１１】
請求項４では、弾性部材の突出部が弾性を有するため、キートップの中央部が押し下げられ、キートップの底面が凸曲面形状で下側に膨らんでいる分だけ可動接点が固定接点側に押し付けられても、突出部の弾性により吸収することができ、故障が生じない。
【００１２】
請求項５では、操作者に長手側の把持される長方形形状の装置に、長方形形状のキートップが装置の長手方向に平行になるよう配置される。ここで、長方形形状の装置を把持しながら、把持した手の指で小さなキーを操作することは困難であるが、請求項５の発明では、長方形形状のキートップを用いることで容易に操作でき、且つ、キートップの短手側端部が押圧されても、キートップの底面の中央部が可動接点側に突出する曲面形状が形成されているため、可動接点が、固定接点に対して凸曲面形状で下側に膨らんでいる分だけ大きく移動し、固定接点に接触することができる。
【００１３】
請求項６では、ハウジングが、基板の固定接点の下方を支持するリブを備えるため、キートップの中央部が押し下げられ、キートップの底面が凸曲面形状で下側に膨らんでいる分だけ可動接点が固定接点側に押し付けられても、該リブで基板を支持することができ、故障が生じない。
【００１４】
請求項７では、ハウジングが、基板の固定接点の下方の周囲を支持するリブを備えるため、キートップの中央部が押し下げられ、キートップの底面が凸曲面形状で下側に膨らんでいる分だけ可動接点が固定接点側に押し付けられても、該リブで基板を支持することができ、故障が生じない。特に、キートップの底面の全面から伝わる押し下げ時の力を、当該リブで分散させて吸収することができる。
【００１５】
請求項８では、基板が、ハウジングに対して傾斜して配置され、キートップの上面は該ハウジングに対して平行に設けられると共に、キートップの底面は該基板に対して平行に設けられる。キートップの底面の凸曲面形状は、中央部が可動接点側に突出するように形成されているため、キートップの長手方向への端部（短手側端部）が押された際にも、可動接点が、固定接点に対して凸曲面形状で下側に膨らんでいる分だけ大きく移動し、固定接点に接触することができる。また、キートップの長手方向に沿った端部（短手端部）が押された際にも、端部は中央部よりも大きく移動でき、可動接点を固定接点に接触させることができる。
【発明を実施するための最良の形態】
【００１６】
[第１実施形態]
以下、本発明のスイッチ構造を備える光学情報読取装置をバーコードリーダに適用した第１実施形態について図を参照して説明する。まず、本実施形態に係るバーコードリーダ１０の構成概要を図１、図２に基づいて説明する。
図１（Ａ）はバーコードリーダ１０の断面図であり、図１（Ｂ）は底面図である。バーコードリーダ１０は、ケース１２内に回路部２０が収容されてなる。ケースは上側ハウジング１２Ａと、下側ハウジング１２Ｂとから成る。ケース１２の前方部の下部には、読取口１４が設けられている。なお、図１には、回路部２０を構成するプリント配線板１６や、このプリント配線板１６に実装される受光センサ２８、結像レンズ２７等が図示されている。
【００１７】
図２に示すように、回路部２０は、主に、照明光源２１、受光センサ２８、結像レンズ２７等の光学系と、メモリ３５、制御回路４０、トリガースイッチ５０等のマイクロコンピュータ（以下「マイコン」という）系と、から構成されており、前述したプリント配線板１６に実装あるいはケース１２に装着されている。
【００１８】
光学系は、照明光源２１、受光センサ２８、結像レンズ２７等から構成されている。照明光源２１は、照明光Ｌｆを発光可能な照明光源として機能するもので、例えば、赤色のＬＥＤ２２とこのＬＥＤ２２の出射側に設けられる拡散・集光レンズ２３等とから構成されている。本実施形態では、ケース１２の読取口１４を介して読取対象物Ｒに向けて照明光Ｌｆを照射可能に構成されている。なお、この読取対象物Ｒには、情報コードとしてのバーコードＢが貼付されている。
【００１９】
受光センサ２８は、読取対象物ＲやバーコードＢに照射されて反射した反射光Ｌｒを受光可能に構成されるものである。この受光センサ２８は、結像レンズ２７を介して入射する入射光を受光可能にプリント配線板１６に実装されている。
【００２０】
結像レンズ２７は、外部から読取口１４を介して入射する入射光を集光して受光センサ２８の受光面２８ａに像を結像可能な結像光学系として機能するものである。本実施形態では、照明光源２１から照射された照明光Ｌｆが、バーコードＢに反射した後、反射鏡２５ｆで反射され、この反射光Ｌｒを結像レンズ２７で集光し、更に、反射鏡２５ｓで反射させ、受光センサ２８の受光面２８ａにコード像を結像させている。
【００２１】
図１（Ｂ）に示すように、バーコードリーダ１０の底面側にバーコードの読み取りを開始させるトリガースイッチ５０が配置されている。トリガースイッチ５０のキートップ５８は、略長方形に形成され、操作者に長手側の把持されるバーコードリーダ１０の長手方向にキートップ５８の長手方向が平行になるように配置される。トリガースイッチ５０は、プリント配線板１６面上に設けられた固定接点５２と、可動接点５４と、可動接点５４を保持するラバースイッチ５６と、ラバースイッチ５６を変形させるキートップ５８とから構成され、キートップ５８が押されることにより、ラバースイッチ５６が変形し、可動接点５４が固定接点５２に接触し、これにより、バーコードの読み取りが開始される。
【００２２】
次に、図２に戻ってマイコン系の構成概要を説明する。マイコン系は、増幅回路３１、Ａ／Ｄ変換回路３３、メモリ３５、アドレス発生回路３６、同期信号発生回路３８、制御回路４０、トリガースイッチ５０、ブザー４４、通信インタフェース４８等から構成されている。
【００２３】
光学系の受光センサ２８から出力される画像信号（アナログ信号）は、増幅回路３１に入力されることで所定ゲインで増幅された後、Ａ／Ｄ変換回路３３に入力されると、アナログ信号からディジタル信号に変換される。そして、ディジタル化された画像信号、つまり画像データ（画像情報）は、メモリ３５に入力されると、所定のコード像画像情報格納領域に蓄積される。なお、同期信号発生回路３８は、受光センサ２８およびアドレス発生回路３６に対する同期信号を発生可能に構成されており、またアドレス発生回路３６は、この同期信号発生回路３８から供給される同期信号に基づいて、メモリ３５に格納される画像データの格納アドレスを発生可能に構成されている。
【００２４】
制御回路４０は、バーコードリーダ１０全体を制御可能なマイコンで、ＣＰＵ、システムバス、入出力インタフェース等からなるもので、メモリ３５とともに情報処理装置を構成し得るもので情報処理機能を有する。この制御回路４０には、内蔵された入出力インタフェースを介して種々の入出力装置（周辺装置）と接続可能に構成されており、本実施形態の場合、トリガースイッチ５０、ブザー４４、通信インタフェース４８等を接続されている。これにより、例えば、トリガースイッチ５０の監視や管理、ビープ音やアラーム音を発生可能なブザー４４の鳴動のオンオフ、さらには読み取ったバーコードＢによるコード内容を外部機器へ通信インタフェース４８の通信制御等を可能にしている。
【００２５】
引き続き、本発明のスイッチ構造を構成するトリガースイッチ５０の構成について、図３〜図５を参照して説明する。
図３（Ａ）は、トリガースイッチ５０が操作されない状態を示す一部破断図であり、図３（Ｂ）は、トリガースイッチ５０の短手端部が押された際の状態を示す断面図である。図３では、バーコードリーダ１０の裏面側に設けられたトリガースイッチ５０を反転させて示している。上述したように、トリガースイッチ５０は、プリント配線板１６面上に設けられた固定接点５２と、可動接点５４と、可動接点５４を保持するラバースイッチ５６と、ラバースイッチ５６を変形させるキートップ５８とから構成される。
【００２６】
図５は、キートップ５８を示し、図５（Ａ）は側面図であり、図５（Ｂ）は平面図であり、図５（Ｃ）は、図５（Ｂ）のｂ１−ｂ１断面図であり、図５（Ｄ）は底面図である。キートップ５８は、略長方形形状の上面５８ａ、側壁５８ｂ、底面５８ｃを有し、底面５８ｃに側壁５８から側方へ延在してハウジング１２Ｂの裏面側（図１（Ａ）参照）と当接するフランジ部５８ｄが形成されている。ハウジング１２Ｂに設けられた開口１２ｂに側壁５８ｂが支持される。該キートップ５８の底面５８ｃ側には、図３中に示すラバースイッチ５６の矩形部５６ｆを収容するための凹部５８ｆが形成されている。該フランジ部５８ｄの底面が上記底面５８ｃを構成し、該底面５８ｃは、該キートップ５８の長手方向に沿って中央部が可動接点５４側に突出する凸曲面形状が形成されている。
【００２７】
図６は、ラバースイッチ５６を示し、図６（Ａ）は平面図であり、図６（Ｂ）は図６（Ａ）中のラバースイッチ５６のａ１−ａ１断面図であり、図６（Ｃ）は底面図であり、図６（Ｄ）、図６（Ｅ）は側面図である。ラバースイッチ５６は、ゴム、樹脂等の可撓性を有する部材から成り、上面５６Ａ側には、平板状の基部５６ｅの略中央部に、上記ラバースイッチ５６の凹部５８ｆに嵌入するための矩形形状の矩形部５６ｆが形成されている。ラバースイッチ５６の底面５６Ｂ側には、基部５６ｅの上記矩形部５６ｆに対応する上側に凹んだ凹部５６ｄが形成されている。該矩形部５６ｆは、厚みが薄い膜状の変位部５６ｇを介して基部５６ｅに支持されている。基部５６ｅの下面には円筒状で下方に突出する突出部５６ｃが形成されている。該突出部５６ｃは、ラバースイッチ５６と一体に形成され、可撓性を有する。突出部５６ｃの下端には、例えば炭素入り樹脂等から成り弾性を有する可動接点５４が取り付けられている。図６（Ｂ）、図６（Ｄ）中では、変位部５６ｇが上方に変位している状態を示しているが、これは、キートップ５８の凹部５８ｆに矩形部５６ｆが嵌入している状態、即ち、図３（Ａ）に示す状態を表している。
【００２８】
ここで、図７（Ａ）に示すように、キートップ５８の中央部が押されると、図７（Ｃ）に示すように、ラバースイッチ５６の矩形部５６ｆが下がり、突出部５６ｃ下端の可動接点５４が固定接点５２に接触する。
【００２９】
一方、図３（Ｂ）に示すようにキートップ５８の長手方向に沿った端部（短手端部）が押された際にも、キートップ５８の底面５８ｃに、中央部が可動接点側に突出する凸曲面形状が形成されているため、可動接点５４が、固定接点５２に対して凸曲面形状で下側に膨らんでいる分だけ大きく移動し、固定接点５２に接触することができる。特に、キートップ５８は、凸曲面形状で下側に膨らんでいる分だけ短手端部は中央部よりも大きく移動することができ、可動接点５４を固定接点５２に接触させることができる。
【００３０】
ここで、更に図４を参照して、キートップ５８及びラバースイッチ５６の寸法について説明する。図４に示すように、キートップ５８の底面には、高さがｈとなる円弧形でキートップ底面５８ｃの両端部からの突出量ｈとなる凸曲面形状が形成されている。ここで、図３（Ａ）中でキートップ５８の中心から該フランジ部５８ｄの端部までの距離をＬ：
ラバースイッチ５６の基部５６ｅの厚みをａ：
可動接点５４の半径をｄ：
図３（Ｂ）中に示すようにキートップ５８を押し下げる前と、キートップ５８の一方の端部を下端まで押し下げた際との角度であって、押し下げられた反対側のフランジ部５８の端部でハウジング１２Ｂの裏面側との当接部と、キートップ５８の一方の端部側の可動接点５４の端部Ｐとがなす角度（最大角度）をθ：とすると、上記高さｈ、距離Ｌ、厚みａ、半径ｄ、角度θが次式で表される。
【数２】
2008166205.tif 000003
【００３１】
数２で表される寸法にキートップ５８及びラバースイッチ５６が形成されているので、キートップ５８の端部が押された際にも、確実に可動接点５４が固定接点５２に接触することができる。なお、図中で、フランジ部５８ｄの中央部での厚みをｂ、可動接点５４と固定接点５２との間隔をｔで表す。
【００３２】
図７〜図９を参照して、キートップの押下げ時のラバースイッチ５６による応力の吸収及び分散について説明する。
図７（Ａ）、図７（Ｂ）、図７（Ｃ）は、キートップ５８の中央部が押された場合を示している。図７（Ａ）に示すようにキートップ５８の中央が押されると、先ず、図７（Ｂ）に示すように、可動接点５４が固定接点５２に当接し、可撓性を有する突出部５６ｃ及び可撓性を有する可動接点５４により応力を吸収する。更に、キートップ５８が押されると、図７（Ｃ）に示すように、キートップ５８の底面５８ｃがラバースイッチ５６の基部５６ｅの中央部５６ｈを押し、可撓性を有するラバースイッチ５６の中央部５６ｈで応力を吸収する。
【００３３】
第１実施形態では、ラバースイッチ５６の突出部５６ｃが弾性を有するため、キートップ５８の中央部が押し下げられ、キートップ５８の底面５８ｃが凸曲面形状で下側に膨らんでいる分だけ可動接点５４が固定接点５２側に押し付けられても、ラバースイッチ５６の突出部５６ｃの弾性、及び、基部５６ｅの弾性により吸収することができ、故障が生じない。即ち、キートップ５８の中央部が押下げられ、キートップにより可撓性を有する可動接点５４が固定接点５２に接触した際の押下力を、キートップ５８から基部５６ｅに伝え吸収する。
【００３４】
図８（Ａ）、図８（Ｂ）、図８（Ｃ）は、キートップ５８の中間部が押された場合を示している。図８（Ａ）に示すようにキートップ５８の中央部と端部との中間が押されると、先ず、図８（Ｂ）に示すように、可動接点５４の一部が固定接点５２に当接し、可撓性を有する突出部５６ｃ及び可撓性を有する可動接点５４により応力を吸収する。更に、キートップ５８が押されると、図８（Ｃ）に示すように、キートップ５８の底面５８ｃがラバースイッチ５６の基部５６ｅの中間部５６ｉを押し、可撓性を有するラバースイッチ５６の中央部５６ｉで応力を吸収する。
【００３５】
図９（Ａ）、図９（Ｂ）、図９（Ｃ）は、キートップ５８の端部が押された場合を示している。図９（Ａ）に示すようにキートップ５８の端部が押されると、先ず、図９（Ｂ）に示すように、可動接点５４の端部が固定接点５２に当接し、可撓性を有する突出部５６ｃ及び可撓性を有する可動接点５４により応力を吸収する。更に、キートップ５８が押されると、図９（Ｃ）に示すように、キートップ５８の底面５８ｃがラバースイッチ５６の基部５６ｅの端部５６ｊを押し、可撓性を有するラバースイッチ５６の端部５６ｊで応力を吸収する。このように、第１実施形態では、可撓性を有するラバースイッチ５６、及び、可撓性を有する可動接点５４により応力を吸収し、可動接点５４及び固定接点５２の破損を防ぐことができる。即ち、キートップ５８が押下げられ、キートップにより可撓性を有する可動接点５４が固定接点５２に接触した際の押下力を、キートップ５８から基部５６ｅに伝え吸収する。
【００３６】
また、図１を参照して上述したように第１実施形態のトリガースイッチ５０では、操作者に長手側の把持される長方形形状のバーコードリーダ１０に、長方形形状のキートップ５８がバーコードリーダ１０の長手方向に平行になるよう配置される。ここで、長方形形状のバーコードリーダ１０を把持しながら、把持した手の指で小さなキーを操作することは困難であるが、第１実施形態では、長方形形状のキートップ５８を用いることで容易に操作でき、且つ、キートップ５８の短手側端部が押圧されても、キートップ５８の底面５８ｃの中央部が可動接点５４側に突出する曲面形状が形成されているため、可動接点５４が、固定接点５２に対して凸曲面形状で下側に膨らんでいる分だけ大きく移動し、固定接点５２に接触することができる。
【００３７】
[第２実施形態]
図１０（Ａ）は、第２実施形態に係るトリガースイッチ５０の断面図である。
第２実施形態では、図中上下反転して示す下側ハウジング１２Ｂに対向する上側ハウジング１２Ａに、基板１６上の固定接点５２を支持するリブ１２ａが設けられている。第２実施形態では、上側ハウジング１２Ａが、基板１６の固定接点５２の下方を支持するリブ１２ａを備えるため、キートップ５８の中央部が押し下げられ、キートップ５８の底面５８ｃが凸曲面形状で下側に膨らんでいる分だけ可動接点５４が固定接点５２側に押し付けられても、該リブ１２ａで基板１６を支持することができ、故障が生じない。
【００３８】
[第３実施形態]
図１０（Ｂ）は、第３実施形態に係るトリガースイッチ５０の断面図である。
第３実施形態では、図中上下反転して示す下側ハウジング１２Ｂに対向する上側ハウジング１２Ａに、基板１６上の固定接点５２の周囲を支持するリブ１２ｃがリング状に設けられている。第３実施形態では、上側ハウジング１２Ａが、基板１６の固定接点５２の下方の周囲を支持するリブ１２ｃを備えるため、キートップ５８の中央部が押し下げられ、キートップ５８の底面５８ｃが凸曲面形状で下側に膨らんでいる分だけ可動接点５４が固定接点５２側に押し付けられても、該リブ１２ｃで基板１６を支持することができ、故障が生じない。特に、キートップ５８の底面５８ｃの全面から伝わる押し下げ時の力を、当該リブ１２ｃで分散させて吸収することができる。
【００３９】
[第４実施形態]
図１０（Ｃ）は、第４実施形態に係るトリガースイッチ５０の断面図である。
第４実施形態では、下側ハウジング１２Ｂに対して、基板１６が傾斜して設けられている。このため、キートップ５８の上面５８は該ハウジング１２Ｂに対して平行に設けられる。一方、キートップ５８の底面５８ｃは、底面５８ｃ短手方向の両端部Ａ、Ｂを結ぶ面Ｆが該基板１６に対して平行になるよう傾斜して設けられる。キートップの底面５８ｃの凸曲面形状は、中央部が可動接点５４側に突出するように形成されている。これにより、キートップ５８の長手方向への端部（短手側端部）が押された際にも、可動接点５４が、固定接点５２に対して凸曲面形状で下側に膨らんでいる分だけ大きく移動し、固定接点５２に接触することができる。また、キートップ５８の長手方向に沿った端部（短手端部）が押された際にも、端部は中央部よりも大きく移動でき、可動接点５４を固定接点５２に接触させることができる。
【００４０】
上述した第１〜第４実施形態では、キートップ５８の上面５８ａが長方形形状である物を例示したが、キートップ５８の上面は、縦横比が１以外であれば、楕円形、小判形、繭形状等種々の形状に対応できる。
【００４１】
[第５実施形態]
上述した第１〜第４実施形態では、キートップ５８の上面５８ａが縦横比が１以外、即ち、長方形を例示した。これに対して、第５実施形態では、縦横比が１の円形形状にキートップ５８が形成されている。ここで、図１１は、第５実施形態に係るトリガースイッチ５０のキートップ５８を示し、図１１（Ａ）は側面図であり、図１１（Ｂ）は平面図であり、図１１（Ｃ１）は、図１１（Ｂ）のｃ１−ｃ１断面図であり、図１１（Ｃ２）は、図１１（Ｂ）のｃ２−ｃ２断面図であり、図１１（Ｄ）は底面図である。図１２は、第５実施形態に係るトリガースイッチのラバースイッチ５６を示し、図１２（Ａ）は平面図であり、図１２（Ｂ１）は図１２（Ａ）中のラバースイッチ５６のｂ１−ｂ１断面図であり、図１２（Ｂ２）は図１２（Ａ）中のラバースイッチ５６のｂ２−ｂ２断面図であり、図１２（Ｃ）は底面図であり、図１２（Ｄ）は側面図である。
【００４２】
図５を参照して上述したように、第１実施形態では、キートップ５８の底面５８ｃに、キートップ５８の長手方向に沿って、中央部が可動接点側に突出する蒲鉾形状の凸曲面形状が形成されていた。これに対して、第５実施形態では、図１１中に示すように、半球形状の凸曲面形状がキートップ５８の底面５８ｃに形成されている。この第５実施形態のように、縦横比が１の円形形状又は正方形にキートップ５８が形成されていても、図３（Ｂ）を参照して上述した第１実施形態と同様に、キートップ５８の上面の端部が押された際には、キートップ５８の底面５８ｃに、中央部が可動接点側に突出する凸曲面形状が形成されているため、可動接点５４が、固定接点５２に対して凸曲面形状で下側に膨らんでいる分だけ大きく移動し、固定接点５２に接触することができる。
【図面の簡単な説明】
【００４３】
【図１】図１（Ａ）は本発明の第１実施形態に係るバーコードリーダの断面図であり、図１（Ｂ）は底面図である。
【図２】本発明の第１実施形態に係るバーコードリーダの回路部の構成概要を示すブロック図である。
【図３】図３（Ａ）は、トリガースイッチ５０が操作されない状態を示す一部破断図であり、図３（Ｂ）は、トリガースイッチ５０の短手端部が押された際の状態を示す断面図である。
【図４】キートップ５８の下面の曲面形状の説明図である。
【図５】図５は、キートップ５８を示し、図５（Ａ）は側面図であり、図５（Ｂ）は平面図であり、図５（Ｃ）は、図５（Ｂ）のｂ１−ｂ１断面図であり、図５（Ｄ）は底面図である。
【図６】図６は、ラバースイッチ５６を示し、図６（Ａ）は平面図であり、図６（Ｂ）は図６（Ａ）中のラバースイッチ５６のａ１−ａ１断面図であり、図６（Ｃ）は底面図であり、図６（Ｄ）は側面図である。
【図７】図７（Ａ）、図７（Ｂ）、図７（Ｃ）は、キートップ５８の中央部が押された場合の応力吸収を説明する図である。
【図８】図８（Ａ）、図８（Ｂ）、図８（Ｃ）は、キートップ５８の中間部が押された場合の応力吸収を説明する図である。
【図９】図９（Ａ）、図９（Ｂ）、図９（Ｃ）は、キートップ５８の端部が押された場合の応力吸収を説明する図である。
【図１０】図１０（Ａ）は、第２実施形態に係るトリガースイッチ５０の断面図であり、図１０（Ｂ）は、第３実施形態に係るトリガースイッチ５０の断面図であり、図１０（Ｃ）は、第４実施形態に係るトリガースイッチ５０の断面図である。
【図１１】図１１は、第５実施形態に係るトリガースイッチ５０のキートップ５８を示し、図１１（Ａ）は側面図であり、図１１（Ｂ）は平面図であり、図１１（Ｃ１）は、図１１（Ｂ）のｃ１−ｃ１断面図であり、図１１（Ｃ２）は、図１１（Ｂ）のｃ２−ｃ２断面図であり、図１１（Ｄ）は底面図である。
【図１２】図１２は、第５実施形態に係るトリガースイッチ５０のラバースイッチ５６を示し、図１２（Ａ）は平面図であり、図１２（Ｂ１）は図１２（Ａ）中のラバースイッチ５６のｂ１−ｂ１断面図であり、図１２（Ｂ２）は図１２（Ａ）中のラバースイッチ５６のｂ２−ｂ２断面図であり、図１２（Ｃ）は底面図であり、図１２（Ｄ）は側面図である。
【符号の説明】
【００４４】
１０…バーコードリーダ
１２ａ…リブ
１２ｂ…リブ
５０…トリガースイッチ（スイッチ構造）
５２…固定接点
５４…可動接点
５６…ラバースイッチ（弾性部材）
５６Ａ…上面
５６Ｂ…底面
５６ｃ…突出部
５６ｄ…凹部
５６ｅ…基部
５６ｆ…矩形部
５６ｇ…変位部
５８…キートップ
５８…上面
５８ｂ…側壁
５８ｃ…底面
５８ｅ…基部
５８ｆ…凹部
【図１】
2008166205.tif 000005
【図２】
2008166205.tif 000006
【図３】
2008166205.tif 000007
【図４】
2008166205.tif 000008
【図５】
2008166205.tif 000009
【図６】
2008166205.tif 000010
【図７】
2008166205.tif 000011
【図８】
2008166205.tif 000012
【図９】
2008166205.tif 000013
【図１０】
2008166205.tif 000014
【図１１】
2008166205.tif 000015
【図１２】
2008166205.tif 000016